(57)【特許請求の範囲】
【請求項１】
高さＨ′を計画高さＨより少し高くし、天端幅Ｗ′を計画天端幅Ｗより少し広くし、その広くした両側部分Ｌに対応する部分を仮天端肩部Ｓ′，Ｓ′とし、かつ、法面Ｇ′，Ｇ′の勾配を自然勾配とした捨石マウンドＭを築造し、
その後、重錘Ｐを自由落下させて行う輾圧作業を天端の中央部から上記仮天端肩部Ｓ′，Ｓ′にわたり繰り返し行って、上記天端の高さＨ′を計画高さＨになるまで圧密均しし、
続いて、上記重錘Ｐにより上記仮天端肩部Ｓ′，Ｓ′の捨石を崩すことによって、天端幅Ｗ′を計画天端幅Ｗとしてその外側縁部に計画天端肩部Ｓ，Ｓを露呈させるとともに、上記自然勾配の法面Ｇ′，Ｇ′を計画法面Ｇ，Ｇに成形することを特徴とする重錘自由落下式水中捨石基礎圧密均し工法。
【請求項２】
上記計画法面Ｇ，Ｇの勾配をほぼ１：２〜１：３とすることを特徴とする請求項１記載の重錘自由落下式水中捨石基礎圧密均し工法。
【請求項３】
上記計画天端肩部Ｓ，Ｓとそれに続く計画法面Ｇに対する仕上げ造成を、潜水士の水中手作業により行うことを特徴とする請求項１または２記載の重錘自由落下式水中捨石基礎圧密均し工法。
【発明の詳細な説明】
【０００１】
【発明の属する技術分野】
本発明は重錘自由落下式水中捨石基礎圧密均し工法の改良に関する。
【０００２】
【従来の技術】
水中捨石基礎圧密均し工法は、概括的には図３に例示するように、天端幅を計画天端幅Ｗとするとともに、高さを計画高さＨより少し高くし、両側の法面Ｇ′，Ｇ′を自然勾配ほぼ１：１（ここで勾配とは、法面の上端縁部すなわち天端肩部Ｓからマウンド底面までの垂線の長さと該マウンド底面における上記垂線と法面の下端縁部までの水平線の長さとの比をいう。以下同じ）とした断面山形の捨石マウンドＭを造り、その天端を、作業船のクレーンブームで吊り上げた重錘Ｐを自由落下させる作業を繰り返し行うことにより輾圧し、計画高さＨまで圧密均しするもので、それは、これまでに提案されている各種の水中捨石基礎均し工法の中で最も効果的かつ経済的といわれている工法である。
【０００３】
【発明が解決しようとする課題】
上記重錘Ｐによる輾圧作業とそれによる各捨石間の圧密は、上記捨石マウンドＭの天端の中央部から外側縁部すなわち天端肩部Ｓにわたって順次行われ、余分な捨石は開放されている法面に押し出されることとなる。
特に、上記天端肩部Ｓは、外側が開放状態であるから重錘Ｐで輾圧しても圧密することなく、却って、その部分の捨石を崩落させてしまう。
このため、重錘Ｐによる輾圧は、天端肩部Ｓに対して直接行うことなく、その内側手前までとし、該天端肩部Ｓとそれに続く法面Ｇ′，Ｇ′の仕上げ造成は、専ら潜水士の水中仕上げ手作業に依存している。
すなわち、実際には所要の遣り型を使用する等しながら、当該天端肩部Ｓとそれに続く法面Ｇ′，Ｇ′に所要量の捨石を補填し、潜水士の水中仕上げ作業により、最終的に、計画天端幅Ｗ、計画高さＨ、計画法面Ｇ，Ｇ（勾配ほぼ１：２〜１：３）に仕上げているものである。
【０００４】
したがって、上記天端肩部Ｓの密度ないし強度は、天端中央部の重錘輾圧部分に比べて小さくならざるを得ない。
また、潜水士の上記水中仕上げ作業は、浮遊状態で行わなければならないこともあって、特に浅海では多少の波浪でも身体が不安定となり、的確安全な作業を困難にする等の難点がある。
【０００５】
そこで本発明は、天端肩部についても重錘による輾圧を行って該肩部の密度ないし強度を十分なものにでき、したがってまた、潜水士による上記水中仕上げ作業を最小限で足りるものとし、これによって、従来に比べて工期ならびに工費を大幅に縮減できる重錘自由落下式水中捨石基礎圧密均し工法を提供しようとするものである。
【０００６】
【課題を解決するための手段】
すなわち、本発明重錘自由落下式水中捨石基礎圧密均し工法は、まず、高さＨ′を計画高さＨより少し高くし、天端幅Ｗ′を計画天端幅Ｗより少し広くし、その広くした両側部分Ｌに対応する部分を仮天端肩部Ｓ′，Ｓ′とし、かつ、法面Ｇ′，Ｇ′の勾配を自然勾配とした捨石マウンドＭを築造し、その後、重錘Ｐを自由落下させて行う輾圧作業を天端の中央部から上記仮天端肩部Ｓ′，Ｓ′にわたり繰り返し行って、上記天端の高さＨ′を計画高さＨになるまで圧密均しし、続いて、上記重錘Ｐにより上記仮天端肩部Ｓ′，Ｓ′の捨石を崩すことによって、天端幅Ｗ′を計画天端幅Ｗとしてその外側縁部に計画天端肩部Ｓ，Ｓを露呈させるとともに、上記自然勾配の法面Ｇ′，Ｇ′を計画法面Ｇ，Ｇに成形するものである。
【０００７】
【発明の実施の形態】
以下本発明を図１，２に示した実施例について詳述する。
【０００８】
最終的に得ようとする水中捨石基礎が、計画天端幅をＷ、計画高さをＨ、計画法面をＧ，Ｇ（勾配ほぼ１：２〜１：３）、上記計画天端幅Ｗの外側縁部したがってまた計画法面Ｇ，Ｇの上端部を天端肩部Ｓ，Ｓとしているとする。
【０００９】
まず、作業船から慣行にしたがい所要の捨石投入を行い、次の構成をなす断面山形の捨石マウンドＭを築造する。
捨石マウンドＭは、高さＨ′を計画高さＨより少し高くし、すなわち余盛り状態とし、また、天端幅Ｗ′を、計画天端幅Ｗより少なくとも、重錘Ｐの一辺の長さ（約２．５ｍ）の例えば２倍の長さ分だけ広くし、その広くした両側部分Ｌに対応する部分を仮天端肩部Ｓ′，Ｓ′とし、かつ、法面Ｇ′，Ｇ′の勾配を自然勾配（ほぼ１：１）としている。
【００１０】
次に、作業船のクレーンブームで吊り上げた重錘Ｐを自由落下させることによる輾圧作業を、上記余盛り状態の天端の中央部から外側縁部、すなわち、上記のように広くした長さＬ部分が形成する仮天端肩部Ｓ′，Ｓ′にわたって行い、上記天端の高さＨ′を計画高さＨになるまで圧密均しする。
【００１１】
この場合、上記仮天端肩部Ｓ′，Ｓ′は、その外側が開放状態であるために前記同様、重錘Ｐによる衝撃でその部分の捨石を崩落させ、圧密は不十分にならざるを得ない。
しかしながら、その仮天端肩部Ｓ′の内側に位置する上記天端肩部Ｓ，Ｓ、すなわち、計画天端幅Ｗの外側縁部であってかつ計画法面Ｇ，Ｇの上端部である天端肩部Ｓ，Ｓは、天端面中央部分と同様にしっかりと圧密されていること明らかである。
【００１２】
続いて、重錘Ｐを、仮天端肩部Ｓ′，Ｓ′に対し適宜上下に滑動または左右に揺動させることにより、該仮天端肩部Ｓ′，Ｓ′の捨石を下方に崩し、天端の幅を上記計画天端幅Ｗとするとともに、天端肩部Ｓ，Ｓを露呈させることにより、上記自然勾配（ほぼ１：１）の法面Ｇ′，Ｇ′を、ほぼ１：２〜１：３の勾配の計画法面Ｇ，Ｇとする。
【００１３】
その後、天端肩部Ｓ，Ｓとそれに続く法面Ｇ，Ｇに対する仕上げ造成を、潜水士の水中手作業により適宜行うことによって、一連の重錘自由落下式水中捨石基礎圧密均し工法を完結し、所望の水中捨石基礎が得られる。
【００１４】
【発明の効果】
以上述べたところから明らかなように、重錘自由落下式水中捨石基礎圧密均工法によれば、天端肩部についても重錘による輾圧を行って該肩部の密度ないし強度を十分なものにでき、したがってまた、潜水士による上記水中仕上げ作業を最小限で足りるものとし、これによって、従来に比べて工期ならびに工費を大幅に縮減でき、その効果はきわめて顕著である。
【図面の簡単な説明】
【図１】本発明の１実施形態に係る捨石マウンドを説明するための断面図である。
【図２】上記捨石マウンドを計画高さに圧密した後、仮天端肩部を崩している状態を示す断面図である。
【図３】従来工法を説明するための捨石マウンドの断面図である。
【符号の説明】
Ｗ    計画天端幅
Ｈ    計画高さ
Ｇ    計画法面
Ｓ    天端肩部
Ｍ    捨石マウンド
Ｈ′  捨石マウンドの高さ
Ｗ′  捨石マウンドの天端幅
Ｇ′  捨石マウンドの法面
Ｓ′  仮天端肩部
Ｐ    重錘
【図１】
0003608165.tif 000002
【図２】
0003608165.tif 000003
【図３】
0003608165.tif 000004